(57)【要約】【課題】効率的にエバポレータを加熱することができる除霜装置を提供する。【解決手段】ガラス管内にヒータ線１０を備えエバポレータ１を加熱するガラス管ヒータ２からなり、ガラス管は扁平部２ｂと放物曲面部２ａより構成され、放物曲面部２ａの内面に反射層１１を設け、ヒータ線１０を放物曲面部２ａの焦点に設置し、放物曲面部２ａの反射層１１の反射方向にエバポレータ１が位置するように配設したので、ガラス管の放物曲面部２ａの内面に設けた反射層１１での反射によりヒータ線１０からの輻射熱をエバポレータ１の方向のみに収束でき、エバポレータ１上の霜を効率よく融解することができる。したがって、除霜運転が早く終了し、除霜時間の短縮が図れる。【選択図】図１
2012207886.tif 000002
【特許請求の範囲】
【請求項１】
ガラス管内にヒータ線を備えエバポレータを加熱するガラス管ヒータからなり、前記ガラス管は扁平部と放物曲面部より構成され、前記放物曲面部の内面に反射層を設け、前記ヒータ線を前記放物曲面部の焦点に設置し、放物曲面部の反射方向にエバポレータが位置するように配設した除霜装置。
【請求項２】
請求項１に記載の除霜装置を備えた冷蔵庫。
【発明の詳細な説明】
【技術分野】
【０００１】
本発明は、間接冷却方式の冷蔵庫等のエバポレータの除霜に用いる除霜装置およびこの除霜装置を備えた冷蔵庫に関するものである。
【背景技術】
【０００２】
従来、この種の冷蔵庫などの除霜装置は、エバポレータ下部に設置したガラス管に封入した電熱線を予め設定した時間毎に通電し、その熱により冷却運転中にエバポレータに付着した霜や氷を融解させ除霜するものであった（例えば、特許文献１参照）。
【０００３】
図４は、特許文献１に記載された従来の除霜装置（ガラス管ヒータ）の縦断面を示すものである。図４に示すように、従来の除霜装置（ガラス管ヒータ）は、反射層１４を設けたガラス管１３内に、ヒータワイヤ１６を螺旋状に巻き付けた棒状セラミック１５を配置して、ガラス管１３の両端の開口部を、ヒータワイヤ１６が貫通するキャップ１７で覆ったから構成されている。
【先行技術文献】
【特許文献】
【０００４】
【特許文献１】特開昭５９−１２８７９０号公報
【発明の概要】
【発明が解決しようとする課題】
【０００５】
しかしながら、上記従来の構成では、反射層１４がガラス管１３上に形成されているため反射層１４の断面形状が円形となり、熱の輻射方向が拡散し除霜が不要な部分に輻射されてしまい、また反射方向が熱源であるヒータワイヤ１６の方向に限定され、また、反射層１４の幅もガラス管１３の直径に制限されてしまい、効率的に霜を溶かすことが難しいという課題を有していた。
【０００６】
本発明は、上記従来の課題を解決するもので、効率的にエバポレータを加熱することができる除霜装置を提供することを目的とする。
【課題を解決するための手段】
【０００７】
上記目的を達成するために、本発明の除霜装置は、ガラス管内にヒータ線を備えエバポレータを加熱するガラス管ヒータからなり、前記ガラス管は扁平部と放物曲面部より構成され、前記放物曲面部の内面に反射層を設け、前記ヒータ線を前記放物曲面部の焦点に設置し、放物曲面部の反射方向にエバポレータが位置するように配設したのである。
【０００８】
これによって、ヒータ線からの輻射熱をエバポレータの方向のみに収束でき、エバポレータ上の霜を効率よく融解することができる。
【発明の効果】
【０００９】
本発明の除霜装置は、ヒータ線からの輻射熱をエバポレータの方向のみに収束でき、エバポレータ上の霜を効率よく融解することができる。したがって、除霜時間の短縮や、熱効率の向上により、ヒータの低容量化が図れるなど省エネ性を向上することができる。
【図面の簡単な説明】
【００１０】
【図１】本発明の実施の形態１における除霜装置の横断面図
【図２】同実施の形態の除霜装置の正面図
【図３】同実施の形態の除霜装置の横断面図
【図４】従来の除霜装置の縦断面図
【発明を実施するための形態】
【００１１】
第１の発明は、ガラス管内にヒータ線を備えエバポレータを加熱するガラス管ヒータからなり、前記ガラス管は扁平部と放物曲面部より構成され、前記放物曲面部の内面に反射層を設け、前記ヒータ線を前記放物曲面部の焦点に設置し、放物曲面部の反射方向にエバポレータが位置するように配設した除霜装置である。
【００１２】
上記構成により、ガラス管の放物曲面部の内面に設けた反射層での反射によりヒータ線からの輻射熱をエバポレータの方向のみに収束でき、エバポレータ上の霜を効率よく融解することができる。したがって、除霜時間の短縮や、熱効率の向上により、ヒータの低容量化が図れるなど省エネ性を向上することができる。
【００１３】
第２の発明は、第１の発明の除霜装置を備えた冷蔵庫であり、除霜時間の短縮や、省エネ性を向上することができる。
【００１４】
以下、本発明の実施の形態について、図面を参照しながら説明する。なお、この実施の形態によって本発明が限定されるものではない。
【００１５】
（実施の形態１）
図１は、本発明の実施の形態１における除霜装置の横断面図である。図２は、同実施の形態の除霜装置の正面図である。
【００１６】
図１、図２において、エバポレータ１の下方に、ガラス管ヒータ２が支持板３により取り付けられ、その中心線は垂直に一致する。このとき、ガラス管ヒータ２はその軸線を平行に配置される。
【００１７】
エバポレータ１、ガラス管ヒータ２は、冷蔵庫の筐体４の冷蔵室５と区画壁６により区画された冷却室７に設置される。区画壁６のエバポレータ１上方には円形の孔６Ａを設け、送風機８の吹き出し口となる。また、冷蔵室５の空気は、区画壁６に設けた吸い込み口６Ｂより、冷却室７に吸い込まれる。
【００１８】
図３に示すように、本実施の形態の除霜装置であるガラス管ヒータ２は、反射層１１を設けた放物曲面部２ａと扁平部２ｂより構成されるガラス管内にヒータ線１０を備える。
【００１９】
そして、放物面の焦点の位置に、ヒータ線１０を配設することにより、放物曲面部２ａにより反射されるヒータ線１０から輻射された赤外線は、すべてエバポレータ１方向へ輻射されることになる。
【００２０】
次に上記構成の動作について説明する。
【００２１】
冷却運転により、冷蔵室５内の水分がエバポレータ１に霜となって付着する。所定時間が経過後、冷却運転を停止するとともに、ガラス管ヒータ２が運転され、発熱を始める。
【００２２】
このとき、ガラス管ヒータ２のヒータ線１０から輻射された熱の一部は、ガラス管に設けた下方に位置する放物曲面部２ａの反射層１１に反射される。ヒータ線１０は、放物面である反射層１１の焦点に位置するので、反射された熱はすべて、単指向性となり、上方のみに反射される。
【００２３】
これにより、ガラス管ヒータ２より輻射された熱の大部分は、エバポレータ１の方向にのみ輻射されるので、効率よくエバポレータ１に付着した霜を加熱することになる。
【００２４】
加熱により、エバポレータ１上の霜が融解すると、水滴となり下方に落下し、庫外に排出される。
【００２５】
以上のように本実施の形態では、ガラス管内にヒータ線１０を備えエバポレータ１を加熱するガラス管ヒータ２からなり、ガラス管は扁平部２ｂと放物曲面部２ａより構成され、放物曲面部２ａの内面に反射層１１を設け、ヒータ線１０を放物曲面部２ａの焦点に設置し、放物曲面部２ａの反射層１１の反射方向にエバポレータ１が位置するように配設したので、ガラス管の放物曲面部２ａの内面に設けた反射層１１での反射によりヒータ線１０からの輻射熱をエバポレータ１の方向のみに収束でき、エバポレータ１上の霜を効率よく融解することができる。
【００２６】
したがって、除霜運転が早く終了し、除霜時間の短縮が図れる。熱効率の向上により、ヒータの低容量化が図れ、省エネ性を向上でき、また、不要な部分を加熱せずにすむため、除霜運転中に問題となる冷蔵庫の庫内温度上昇も抑制できるなど、地球環境保護及び保鮮機能の向上が図れるなどに多大な効果を有する。
【００２７】
また、ヒータ線１０の位置を放物面の中心線に沿って移動することで、輻射を収束、拡散と任意に選べるため、設置状況により任意に輻射特性が変化可能となる。
【産業上の利用可能性】
【００２８】
本発明にかかる除霜装置は、ヒータ線からの輻射熱をエバポレータの方向のみに収束でき、エバポレータ上の霜を効率よく融解することができ、これにより、除霜時間の短縮や、熱効率の向上により、ヒータの低容量化が図れるなど省エネ性を向上することができるものであり、家庭用や業務用の冷凍冷蔵庫に限らず、エバポレータの除霜が必要なものに適用できる。
【符号の説明】
【００２９】
１  エバポレータ
２  ガラス管ヒータ
２ａ  放物曲面部
２ｂ  扁平部
１０  ヒータ線
１１  反射層
【図１】
2012207886.tif 000003
【図２】
2012207886.tif 000004
【図３】
2012207886.tif 000005
【図４】
2012207886.tif 000006